(57)【要約】【課題】男子の小用時に手を汚すことなく、尿を飛散させずに誘導することができる男子排尿補助具を提供する。【解決手段】局部に開口部１１ａを当てて尿を受けると排出口１１ｂから尿を排出するロート状の尿受け具１１と、一端が尿受け具１１の排出口に接続されて、尿受け具１１からの尿を便器１内の排水部に排出させるように誘導する尿誘導管路１２とを備えるようにした。【選択図】図１
2007303084.tif 000002
【特許請求の範囲】
【請求項１】
局部に開口部を当てて尿を受けると排出口から尿を排出するロート状の尿受け具と、一端が尿受け具の排出口に接続されて、前記尿受け具からの尿を便器の排水部に排出させるように誘導する尿誘導管路とを備えたことを特徴とする男子排尿補助具。
【請求項２】
前記尿受け具の開口部に被せられて前記尿受け具の内面に水を掛けて洗浄する水洗浄器具を備えた請求項１記載の男子排尿補助具。
【請求項３】
前記尿受け具の排出口は前記尿誘導管路の一端に接続され、前記尿誘導管路は複数の尿誘導管を回動可能に接続して形成され、前記尿誘導管路の他端は便器に取付られている請求項２記載の男子排尿補助具。
【発明の詳細な説明】
【技術分野】
【０００１】
本発明は、男子排尿時の尿の飛散による便器廻りの床や壁の汚れ及び残尿の垂れによる便器の汚れを防止する男子排尿補助具に関するものである。
【背景技術】
【０００２】
男子は腰掛便器で排尿する場合、便座を上げ便器前に立って排尿する方法を取るのが自然であり、排尿時に、尿の飛散や残尿の垂れこぼしによって便器及び便器廻りの床や壁を汚すため、男子が排尿時に手で持って局部に被せ、尿を飛散させずに誘導する水溶紙でなるテーパー状の紙製パイプでできた男子用排尿飛散防止パイプ（特許文献１参照）や、小水の軌道を制御して便器内に収まるように雨樋のごとく誘導する男子小用飛散防止補助カバー（特許文献２参照）が提案されている。
【特許文献１】公開実用平成１−１３６５７０号公報
【特許文献２】特開２００５−６０９９７号公報
【発明の開示】
【発明が解決しようとする課題】
【０００３】
前記男子用排尿飛散防止パイプや男子小用飛散防止補助カバーは、共に、水に溶け使い捨てできる水溶性の材質でパイプ状又は樋状に形成され、手で持って局部にあてがい小水を便器に誘導するように使用され、使用後は便器内に捨てて水を放流して廃棄する使い捨てされるものであり、小用時には、局部にあてがった手が汚れて不衛生であるため改善が望まれていた。
【０００４】
本発明は、前記課題を解決するもので、男子の小用時に手を汚すことなく、尿を飛散させずに誘導することができる男子排尿補助具を提供するものである。
【課題を解決するための手段】
【０００５】
前記課題を解決するために請求項１記載の発明は、局部に開口部を当てて尿を受けると排出口から尿を排出するロート状の尿受け具と、一端が尿受け具の排出口に接続されて、前記尿受け具からの尿を便器の排水部に排出させるように誘導する尿誘導管路とを備えたことを特徴とする男子排尿補助具である。
【０００６】
また、請求項２記載の発明は、前記尿受け具の開口部に被せられて前記尿受け具の内面に水を掛けて洗浄する水洗浄器具を備えた請求項１記載の男子排尿補助具である。
【０００７】
また、請求項３記載の発明は、前記尿受け具の排出口は前記尿誘導管路の一端に接続され、前記尿誘導管路は複数の尿誘導管を回動可能に接続して形成され、前記尿誘導管路の他端は便器に取付られている請求項２記載の男子排尿補助具である。
【発明の効果】
【０００８】
本発明では、男子の小用時に局部にロート状の尿受け具の開口部を当てて尿を受けさせることで、手を汚すことなく、尿を飛散させずに便器の排水部に排出させるように誘導することができる。
【発明を実施するための最良の形態】
【０００９】
以下、実施例を示す図面に基づいて本発明を詳細に説明する。
【実施例１】
【００１０】
図１は本発明の実施例１を示す概略図、図２は図１の要部を拡大した一部欠截側面図、図３は図２の水洗浄器具の底面図である。図１〜図３において、腰掛便器１は、給水タンク２を備えており、給水タンク２から水が供給されて便器内部が洗浄される水洗式である。腰掛便器１の上部には、蓋３を付属する便座４が取り付けられている。便座４の下面４ａには複数のゴム脚４ｂが設けられていて、腰掛便器１の周壁１ｂの上部１ａにゴム脚４ｂを介して便座４を載置できるように形成されている。
【００１１】
腰掛便器１には、男子排尿補助具１０が設置されている。男子排尿補助具１０は、尿受け具１１と、尿受け具１１から排出される尿を腰掛便器１内の排水部１ｃに誘導する尿誘導管路１２と、尿受け具１１の内部を水で洗浄する水洗浄器具１３とを備えている。
【００１２】
尿受け具１１は、径の広い開口部１１ａと径の狭い筒状の排出口１１ｂとが連通するロート状であり、テーパー状の内部には、水溶性の紙で形成され周面がテーパー状の筒材１４が装着できるようになっている。この筒材１４は、必要に応じて使用すればよいものである。
【００１３】
尿受け具１１の筒状の排出口１１ｂは、尿誘導管路１２の一端１２ａに嵌合して伸縮可能に接続され、固定ネジ１２ｃを締め付けて尿誘導管路１２と接続された位置が設定されている。尿誘導管路１２は、２本の尿誘導管１５，１６が連結されて形成されており、この連結部１７には、２枚の舌片１８ａの略各一端が連結され各舌片１８ａが９０度開いた状態で形成されている金属製ストッパ１８が取付られている。尿誘導管１５，１６の端部同士の連結は、尿誘導管１５の球形な端部１５ａを、尿誘導管１６の凹球形な端部１６ａに嵌合して連結されており、尿誘導管１５は連結部１７を支点として回動させると、金属製ストッパ１８の舌片１８ａに当接する略９０度の角度まで回動可能となっている。
【００１４】
また、尿誘導管路１２の他端１２ｂ側の尿誘導管１６は、腰掛便器１の周壁１ｂの上部１ａに係止機構２０により固定されている。尿誘導管路１２の他端１２ｂ近辺には、尿誘導管１６に交差して自由端側から所定の間隔で舌片２１，２２が設けられており、舌片２１より先の尿誘導管１６の自由端側はＬ字状に曲げられている。舌片２２には先端のストッパ片２３ａが雄ネジ部２３ｂを介して操作ノブ２３ｃに連結された形態の固定ネジ２３が螺合されている。これら舌片２１、２２、固定ネジ２３は、係止機構２０を構成するもので、舌片２１は固定ストッパーとして機能し、固定ネジ２３のストッパ片２３ａとの間に腰掛便器１の周壁１ｂを挟んで操作ノブ２３ｃを回動操作して尿誘導管路１２の他端１２ｂを腰掛便器１の周壁１ｂに固定することができる。
【００１５】
また、尿誘導管路１２を腰掛便器１の周壁１ｂに固定した状態において、腰掛便器１の周壁の上部１ａにゴム脚４ｂを介して便座４を載置した場合には、ゴム脚４ｂの分だけ隙間ができるので、便座４が尿誘導管１６を押圧して破損させることはない。
【００１６】
水洗浄器具１３は、外周に設けた軸受け１３ａが便所の床面に立設したスタンド２５の上部に軸着されて回動可能に固定されている。スタンド２５は台座２６の中央に立設した筒状の下支柱２７の先端に、上支柱２８を嵌合して伸縮可能に接続された構成である。そして、スタンド２５上部に軸着された水洗浄器具１３は、下支柱２７の上端部分に設けた固定ネジ２７ａを締め付けて、上支柱２８を固定することにより高さが設定されている。上支柱２８には側面に開口部２９ａを有するＣ字形の保持具２９が取付られており、尿受け具１１は、保持具２９の側面の開口部２９ａから差し込んで保持具２９に載置できるようになっている。
【００１７】
水洗浄器具１３は、先窄みの環状突出部３１の先端部に設けられた環状溝からなる水吐出口３２を有する水洗浄器３３と給水管３４とから構成されている。給水管３４は途中の位置に水圧調整バルブ２ｃが設けられており、必要に応じて水圧調整ができるようになっている。
【００１８】
尿受け具１１を保持具２９のＣ字形の孔内に載置して、水洗浄器具１３は、軸受け１３ａを中心に回動させることで、尿受け具１１の開口１１ａに水吐出口３２が嵌入し、水洗浄器具１３は、尿受け具１１の開口部１１ａに被せる蓋部として機能する。水洗浄器具１３を尿受け具１１の開口部１１ａに被せた状態において、給水タンク２の水栓２ａから給水タンク２上の洗面部２ｂに水が供給されるときに、給水管３４を介して給水されると、水吐出口３２の環状溝内の給水口３５から供給される水を水吐出口３２から渦状に放出して尿受け具１１の内部の洗浄が行われる。
【００１９】
次に、男子排尿補助具１０の使い方について説明する。男子の小用時には、尿受け具１１の外周面を手で持って尿誘導管１６の設置角度を変更し、例えば、実線で示したＡの位置から、二点鎖線で示したＢの位置に移動させる。尿誘導管１６は、尿受け具１１を移動させたＢの位置で略安定して設置角度を維持する。この状態で、局部にロート状の尿受け具１１の開口部１１ａを当てて尿受け具１１で尿を受けさせると、尿受け具１１から手を離しても、尿受け具１１は、設置角度を維持する尿誘導管１６に支持されているから手を汚すことはない。また、尿受け具１１の排出口１１ｂから排出された尿は、尿誘導管路１２を介して腰掛便器１内に誘導されて排出されるから、尿を飛散させずに腰掛便器内の排水部に排出させることができる。小用が終了したら、尿受け具１１を保持具２９のＣ字形の孔内に載置して水洗浄器具１３により尿受け具１１の内部を水で洗浄する。
【実施例２】
【００２０】
図４は本発明の実施例２を示す概略図である。図４に示す実施例２の男子排尿補助具１０ａは、尿受け具４１と、尿受け具４１から排出される尿を腰掛便器１内に誘導する尿誘導管路４２と、尿受け具４１の内部を洗浄する水洗浄器具４３とを備えている。
【００２１】
尿受け具４１は、実施例１の尿受け具１１と類似した構造であり、径の広い開口部４１ａと径の狭い排出口４１ｂとが連通するロート状である。テーパー状の内部には、前記水溶性の紙で形成された筒材１４が装着できるようになっている。尿受け具４１の外周面にはＣ字形の取手４５が設けられていて、便所の壁面に吸盤４６ａにより取り付けられた吊り下げ具４６のフック部４６ｂに引っ掛けて係止されている。
【００２２】
尿受け具４１の排出口４１ｂは、尿誘導管路４２の一端４２ａに、放射状に回動可能に接続されている。尿誘導管路４２は、２本の尿誘導管４８，４９が連結されて形成されており、尿受け具４１の排出口４１ｂと尿誘導管４８の端部との連結や、尿誘導管４８，４９の端部同士の連結は、尿誘導管４８の球形な端部４８ａを、排出口４１ｂや尿誘導管４９の凹球形な端部４１ｂ（４９ａ）に嵌合して連結されており、放射状に回動可能に接続されている。
【００２３】
また、尿誘導管路４２の他端４２ｂ側の尿誘導管４９は、腰掛便器１の周壁の上部に
実施例１の尿誘導管１６と同様に係止機構２０により固定されている。
【００２４】
水洗浄器具４３はシャワー吐出口４３ａを有するシャワーヘッド４３ｂと給水管４４とから構成されており、給水管４４の途中の位置には、水圧調整バルブ２ｃが設けられている。シャワーヘッド４３ｂは、尿受け具４１の開口部４１ａに、シャワー吐出口４３ａを遊嵌して載置される。シャワーヘッド４３ｂは、尿受け具４１の開口部４１ａに被せる蓋部として機能するもので、尿受け具４１の開口部４１ａに被せた状態で、給水タンク２の水栓２ａから給水タンク２上の洗面部２ｂに水が供給されるときに、給水管４４を介して給水されて、シャワー吐出口４３ａから尿受け具４の内面にシャワー水を掛けて洗浄する。男子排尿補助具１０ａの使い方は、実施例１の男子排尿補助具１０と同じであるのでその説明は省略する。
【００２５】
実施例１，２では、便器として洋式の腰掛便器に尿誘導管を取付けた構成を説明したが、本発明の尿受け具は、和式便器に取付けて尿受け具からの尿を和式便器の排水部に排出させるようにして、和式便器で男子が立って排尿しても便器廻りの床や壁を汚さないようにすることができる。また、尿受け具を小便器に取付けて尿受け具からの尿を小便器の排水部に排出させるようにして、小便器の側で男子が立って排尿しても小便器廻りの床や壁を汚さないようにすることができる。
【００２６】
本発明は前記実施の形態に限定されるものではなく、特許請求の範囲に記載の構成を変更しない限りどのようにでも実施することができる。例えば、尿誘導管路は実施例１，２では２本の尿誘導管を回動可能に接続して形成した例を示したが、尿誘導管路は３本以上の複数の尿誘導管を回動可能に接続して形成してもよい。
【図面の簡単な説明】
【００２７】
【図１】本発明の実施例１を示す概略図である。
【図２】図１の要部を拡大した一部欠截側面図である。
【図３】図２の水洗浄器具の底面図である。
【図４】本発明の実施例２を示す概略図である。
【符号の説明】
【００２８】
１  腰掛便器
１ａ  腰掛便器の周壁の上部
１ｂ  腰掛便器の周壁
１ｃ  排水部
２  給水タンク
２ａ  水栓
２ｂ  洗面部
２ｃ  水圧調整バルブ
３  蓋
４  便座
４ａ  便座の下面
４ｂ  ゴム脚
１０，１０ａ  男子排尿補助具
１１，４１  尿受け具
１１ａ，４１ａ  径の広い開口部
１１ｂ，４１ｂ  径の狭い排出口
１２，４２  尿誘導管路
１２ａ，４２ａ  尿誘導管路１２の一端
１２ｂ，４２ｂ  尿誘導管路１２の他端
１３，４３  水洗浄器具
１３ａ  軸受け
１４  筒材
１５，１６，４８，４９  尿誘導管
１５ａ，４８ａ  球形な端部
１６ａ，４９ａ  凹球形な端部
１７  連結部
１８  ストッパ
１８ａ，２１，２２  舌片
２３  固定ネジ
２３ａ  ストッパ片
２３ｂ  雄ネジ部
２３ｃ  操作ノブ
２５  スタンド
２６  台座
２７  下支柱
２７ａ  固定ネジ
２８  上支柱
２９  保持具
２９ａ  開口部
３１  環状突出部
３２  水吐出口
３３  水洗浄器
３４，４４  給水管
４３ａ  シャワー吐出口
４３ｂ  シャワーヘッド
４５  取手
４６  吊り下げ具
４６ａ  吸盤
４６ｂ  フック部
４８，４９  尿誘導管
４８ａ  球形な端部
４９ａ  凹球形な端部
【図１】
2007303084.tif 000003
【図２】
2007303084.tif 000004
【図３】
2007303084.tif 000005
【図４】
2007303084.tif 000006
【手続補正書】
【提出日】平成18年8月7日(2006.8.7)
【手続補正１】
【補正対象書類名】特許請求の範囲
【補正対象項目名】全文
【補正方法】変更
【補正の内容】
【特許請求の範囲】
【請求項１】
尿を受ける受口部と尿を排出する排出口とを有するロート状の尿受け具と、
一端が前記排出口に接続されて、途中で長さ調整部および角度変更部を備え、他端を便座の下部と便器の上部の間を通して、前記尿受け具からの尿を前記便器の排水部に排出させるように誘導する非可撓性尿誘導管路と、
給水管の給水を環状に供給できる環状突出部を有し、前記尿受け具の受口部に被せた状態で、尿の終了により給水管から水が前記尿受け具の内面を循環するように掛けられて洗浄する水洗浄器具と、
前記尿受け具および水洗浄器具を保持するスタンドと、
を備え、前記尿受け具、非可撓性尿誘導管路、水洗浄器具、スタンドが前記便器に対して着脱可能に取り付けられていることを特徴とする男子排尿補助具。
【手続補正２】
【補正対象書類名】明細書
【補正対象項目名】０００５
【補正方法】変更
【補正の内容】
【０００５】
本発明の男子排尿補助具は、尿を受ける受口部と尿を排出する排出口とを有するロート状の尿受け具と、一端が前記排出口に接続されて、途中で長さ調整部および角度変更部を備え、他端を便座の下部と便器の上部の間を通して、前記尿受け具からの尿を前記便器の排水部に排出させるように誘導する非可撓性尿誘導管路と、給水管の給水を環状に供給できる環状突出部を有し、前記尿受け具の受口部に被せた状態で、尿の終了により給水管から水が前記尿受け具の内面を循環するように掛けられて洗浄する水洗浄器具と、前記尿受け具および水洗浄器具を保持するスタンドと、を備え、前記尿受け具、非可撓性尿誘導管路、水洗浄器具、スタンドが前記便器に対して着脱可能に取り付けられていることを特徴とする。
【手続補正３】
【補正対象書類名】明細書
【補正対象項目名】０００６
【補正方法】削除
【補正の内容】
【手続補正４】
【補正対象書類名】明細書
【補正対象項目名】０００７
【補正方法】削除
【補正の内容】
【手続補正書】
【提出日】平成18年11月2日(2006.11.2)
【手続補正１】
【補正対象書類名】特許請求の範囲
【補正対象項目名】全文
【補正方法】変更
【補正の内容】
【特許請求の範囲】
【請求項１】
尿を受ける受口部と尿を排出する排出口とを有するロート状の尿受け具と、
一端が前記排出口に接続されて、途中で長さ調整部および角度変更部を備え、他端を便座の下部と便器の上部の間を通して、前記尿受け具からの尿を前記便器の排水部に排出させるように誘導する非可撓性尿誘導管路と、
給水管の給水を環状に供給できる環状突出部を有し、前記尿受け具の受口部に被せた状態で、給水タンクの水栓から前記給水タンク上の洗面部に水が供給されると、前記給水管を介して前記尿受け具の内面を循環するように掛けられて洗浄する水洗浄器具と、
前記尿受け具および水洗浄器具を保持するスタンドと、
を備え、前記尿受け具、非可撓性尿誘導管路、水洗浄器具、スタンドが前記便器に対して着脱可能に取り付けられていることを特徴とする男子排尿補助具。
【手続補正２】
【補正対象書類名】明細書
【補正対象項目名】０００５
【補正方法】変更
【補正の内容】
【０００５】
本発明の男子排尿補助具は、尿を受ける受口部と尿を排出する排出口とを有するロート状の尿受け具と、一端が前記排出口に接続されて、途中で長さ調整部および角度変更部を備え、他端を便座の下部と便器の上部の間を通して、前記尿受け具からの尿を前記便器の排水部に排出させるように誘導する非可撓性尿誘導管路と、給水管の給水を環状に供給できる環状突出部を有し、前記尿受け具の受口部に被せた状態で、給水タンクの水栓から前記給水タンク上の洗面部に水が供給されると、前記給水管を介して前記尿受け具の内面を循環するように掛けられて洗浄する水洗浄器具と、前記尿受け具および水洗浄器具を保持するスタンドと、を備え、前記尿受け具、非可撓性尿誘導管路、水洗浄器具、スタンドが前記便器に対して着脱可能に取り付けられていることを特徴とする。